(57)【要約】【課題】耐衝撃性を向上可能にしたディスプレイホルダーを提供する。【解決手段】第２ギアＧ２は、第１直動部２３に対するアーム部２４側に位置し、第１直動部２３を貫通した孔を通じて第１ギアＧ１と同軸で連結され、第３ギアＧ３は、第１直動部２３に対するアーム部２４側に位置し、かつ、第２ギアＧ２、および、アーム部２４が備える第２ラック部２４Ｒと噛み合い、それによって、ホルダー部に対するレール部の一方向への移動と、レール部に対するアーム部の一方向への移動とを連動させる。第１ラック部は、第１支持部２２にて一方向に延びる側壁に位置し、第２ラック部２４Ｒは、アーム部２４にて一方向に延びる側壁に位置する。【選択図】図５
2019131115.tif 000002
【特許請求の範囲】
【請求項１】
車両のインストルメントパネル部に位置する格納部に格納可能に構成されたディスプレイ設置台を備えるディスプレイホルダーであって、
前記ディスプレイ設置台は、
相互に対向する板状の第１支持部と第２支持部とから構成されたホルダー部と、
前記第１支持部と前記第２支持部とに挟まれ、相互に対向する板状の第１直動部と第２直動部とから構成されたレール部と、
前記第１直動部と前記第２直動部とに挟まれた板状のアーム部と、を備え、
前記ホルダー部と前記アーム部とが、ディスプレイを挟むように構成され、
前記第１支持部、前記第１直動部、前記アーム部、前記第２直動部、および、前記第２支持部が、この順に積層され、
第１ギア、第２ギア、および、第３ギアをさらに備え、
前記第１ギアは、前記第１直動部に対する前記第１支持部側に位置し、かつ、前記第１支持部が備える第１ラック部と噛み合い、
前記第２ギアは、前記第１直動部に対する前記アーム部側に位置し、前記第１直動部を貫通した孔を通じて前記第１ギアと同軸で連結され、
前記第３ギアは、前記第１直動部に対する前記アーム部側に位置し、かつ、前記第２ギア、および、前記アーム部が備える第２ラック部と噛み合い、それによって、前記ホルダー部に対する前記レール部の一方向への移動と、前記レール部に対する前記アーム部の前記一方向への移動とを連動させ、
前記第１ラック部は、前記第１支持部にて前記一方向に延びる側壁に位置し、
前記第２ラック部は、前記アーム部にて前記一方向に延びる側壁に位置する
ディスプレイホルダー。
【請求項２】
前記第１支持部の前記側壁は、前記第１支持部の厚み方向に突き出る突条を備え、
前記アーム部の前記側壁は、前記アーム部の厚み方向に突き出る突条を備える
請求項１に記載のディスプレイホルダー。
【請求項３】
前記第１ラック部は、前記第１支持部の内側に歯先を向けており、
前記第２ラック部は、前記アーム部の内側に歯先を向けている
請求項１または２に記載のディスプレイホルダー。
【請求項４】
前記レール部は、前記アーム部の両側部を挟み、かつ、前記アーム部の移動を前記一方向に沿った直動に規制するアーム規制部を備え、
前記ホルダー部は、前記レール部の両側部を挟み、かつ、前記レール部の移動を前記一方向に沿った直動に規制するレール規制部を備える
請求項１から３のいずれか一項に記載のディスプレイホルダー。
【請求項５】
前記レール部に対する前記アーム部の位置をロックし、前記一方向に沿った操作部の操作によってロックを解除するロック機構をさらに備える
請求項１から４のいずれか一項に記載のディスプレイホルダー。
【発明の詳細な説明】
【技術分野】
【０００１】
本発明は、車両のインストルメントパネル部に格納されるディスプレイホルダーに関する。
【背景技術】
【０００２】
上記ディスプレイホルダーは、ディスプレイ設置台を備えて、スマートフォンやタブレットコンピュータなどのディスプレイを、ディスプレイ設置台に設置する。ディスプレイ設置台は、倒伏した状態で、インストルメントパネル部に格納されたり、インストルメントパネル部から引き出されたりする。ディスプレイ設置台は、引き出された状態から起き上げられて、ディスプレイを立てられた姿勢に保持する（例えば、特許文献１を参照）。
【先行技術文献】
【特許文献】
【０００３】
【特許文献１】特表２０１６−５００３５３号公報
【発明の概要】
【発明が解決しようとする課題】
【０００４】
上記ディスプレイ設置台は、ディスプレイの縁を保持するアーム部と、アーム部と結合した直動機構とを備える。直動機構によるアーム部の直動は、アーム部の位置をディスプレイの縁に追従させて、ディスプレイにおけるサイズの変更を実現する。一方、車両の衝突時に生じる衝撃は、アーム部と直動機構との連結を解いて、ディスプレイホルダーからディスプレイを落下させるおそれがある。そこで、上記ディスプレイホルダーには、耐衝撃性を向上させることを望まれている。
本発明の目的は、耐衝撃性を向上可能にしたディスプレイホルダーを提供することである。
【課題を解決するための手段】
【０００５】
上記課題を解決するためのディスプレイホルダーは、車両のインストルメントパネル部に位置する格納部に格納可能に構成されたディスプレイ設置台を備えるディスプレイホルダーであって、前記ディスプレイ設置台は、相互に対向する板状の第１支持部と第２支持部とから構成されたホルダー部と、前記第１支持部と前記第２支持部とに挟まれ、相互に対向する板状の第１直動部と第２直動部とから構成されたレール部と、前記第１直動部と前記第２直動部とに挟まれた板状のアーム部と、を備え、前記ホルダー部と前記アーム部とが、ディスプレイを挟むように構成され、前記第１支持部、前記第１直動部、前記アーム部、前記第２直動部、および、前記第２支持部が、この順に積層され、第１ギア、第２ギア、および、第３ギアをさらに備え、前記第１ギアは、前記第１直動部に対する前記第１支持部側に位置し、かつ、前記第１支持部が備える前記第１ラック部と噛み合い、前記第２ギアは、前記第１直動部に対する前記アーム部側に位置し、前記第１直動部を貫通した孔を通じて前記第１ギアと同軸で連結され、前記第３ギアは、前記第１直動部に対する前記アーム部側に位置し、かつ、前記第２ギア、および、前記アーム部が備える第２ラック部と噛み合い、それによって、前記ホルダー部に対する前記レール部の一方向への移動と、前記レール部に対する前記アーム部の前記一方向への移動とを連動させ、前記第１ラック部は、前記第１支持部にて前記一方向に延びる側壁に位置し、前記第２ラック部は、前記アーム部にて前記一方向に延びる側壁に位置する。
【０００６】
上記構成によれば、レール部に対するアーム部の移動と、ホルダー部に対するレール部の移動とが、相互に同じ方向に連動する。そのため、ホルダー部とアーム部とによるディスプレイの挟持を、ディスプレイの大きさに合わせて、迅速に進めることが可能となる。
【０００７】
ここで、ディスプレイホルダーに衝撃が伝わるとき、こうした衝撃は、レール部に対する第１支持部側や、レール部に対する第２支持部側に、レール部を撓ませるように作用する。また、アーム部に対する第１直動部側や、アーム部に対する第２直動部側に、アーム部を撓ませるようにも作用する。この点、第１ラック部、および、第２ラック部は、一方向に延びる側壁、すなわち、上述した撓みに対する耐性を有した部分に位置する。そのため、上記構成であれば、各ギアに対して、第１ラック部、および、第２ラック部の位置ずれを抑えることが可能となる。結果として、第１ラック部と第１ギアとの噛み合い、および、第２ラック部と第２ギアとの噛み合いが解かれることを抑えて、ディスプレイホルダーにおける耐衝撃性を向上させることが可能となる。
【０００８】
上記ディスプレイホルダーにおいて、前記第１支持部の前記側壁は、前記第１支持部の厚み方向に突き出る突条を備え、前記アーム部の前記側壁は、前記アーム部の厚み方向に突き出る突条を備えてもよい。
【０００９】
第１支持部の厚み方向に突き出る突条は、上述した撓みを抑える構造であり、アーム部の厚み方向に突き出る突条もまた、上述した撓みを抑える構造である。上記構成によれば、第１ラック部、および、第２ラック部の位置する各側壁が、こうした突条を備えるため、第１ラック部と第１ギアとの噛み合い、および、第２ラック部と第２ギアとの噛み合いが外れることを、さらに抑えることが可能ともなる。
【００１０】
上記ディスプレイホルダーにおいて、前記第１ラック部は、前記第１支持部の内側に歯先を向けており、前記第２ラック部は、前記アーム部の内側に歯先を向けてもよい。
【００１１】
第１支持部における上述した撓みは、第１支持部を一方向に引き伸ばして、第１ラック部を内側に変位させるような変形を促す。また、アーム部における上述した撓みは、アームを一方向に引き伸ばして、第２ラック部を内側に変位させるような変形を促す。この点、上記構成によれば、第１ラック部の歯先が、第１支持部の内側に向き、また、第２ラック部の歯先が、アーム部の内側に向く。そのため、上述した撓みが仮に生じたとしても、こうした変形は、第１ラック部と第１ギアとの噛み合いを保つように作用し、また、第２ラック部と第２ギアとの噛み合いを保つように作用する。結果として、第１ラック部と第１ギアとの噛み合い、および、第２ラック部と第２ギアとの噛み合いが外れることを、さらに抑えることが可能ともなる。
【００１２】
上記ディスプレイホルダーにおいて、前記レール部は、前記アーム部の両側部を挟み、かつ、前記アーム部の移動を前記一方向に沿った直動に規制するアーム規制部を備え、前記ホルダー部は、前記レール部の両側部を挟み、かつ、前記レール部の移動を前記一方向に沿った直動に規制するレール規制部を備えてもよい。
【００１３】
上記構成によれば、レール部に対するアーム部の移動は、アーム規制部によって、一方向に沿った直動に規制される。また、ホルダー部に対するレール部の移動は、レール規制部によって、一方向に沿った直動に規制される。結果として、上述した噛み合いが外れることを効果的に抑え、かつ、ホルダー部とアーム部とによるディスプレイの挟持を、円滑に進めることが可能ともなる。
【００１４】
上記ディスプレイホルダーにおいて、前記レール部に対する前記アーム部の位置をロックし、前記一方向に沿った操作部の操作によってロックを解除するロック機構をさらに備えてもよい。
【００１５】
上記構成によれば、レール部に対するアーム部の移動と、この移動を可能にする操作部の操作とが、同じ方向に沿って行われる。そのため、アーム部の移動や、この移動に連動するレール部の移動を、利用者による直感的な操作によって実現可能となる。
【図面の簡単な説明】
【００１６】
【図１】ディスプレイホルダーの一実施形態における格納状態での斜視構造を示す図。
【図２】ディスプレイホルダーの引出状態での斜視構造を示す図。
【図３】ディスプレイホルダーの保持状態での斜視構造を示す図。
【図４】ディスプレイ設置台の分解斜視構造を示す図。
【図５】ディスプレイ設置台の分解斜視構造を示す図。
【図６】ディスプレイ設置台の保持状態での側面構造を示す図。
【図７】ディスプレイ設置台の正面視構造を示す図。
【発明を実施するための形態】
【００１７】
以下、図１から図７を参照して、ディスプレイホルダーの一実施形態を説明する。
【００１８】
なお、図１は、ディスプレイ設置台が格納部に格納された状態を示す。図２は、ディスプレイ設置台が格納部から引き出されて、ディスプレイ設置台が倒伏姿勢から起立姿勢に変位した状態を示す。図３は、起立姿勢のディスプレイ設置台にディスプレイが設置された状態を示す。
【００１９】
図１が示すように、格納部１０は、車両のインストルメントパネル部に取り付けられる箱体状を有している。格納部１０は、四角形状の開口１１を車室に向けている。格納部１０は、ディスプレイを設置するためのディスプレイホルダー２０を格納している。
【００２０】
ディスプレイホルダー２０は、ディスプレイ設置台２１を備える。ディスプレイ設置台２１は、格納部１０の開口１１を埋める形状を有する。ディスプレイ設置台２１は、ハンドル２１Ｈを備える。ハンドル２１Ｈは、下方に開口を向けた半椀状を有し、下方から指などを差し込まれる。ハンドル２１Ｈは、ディスプレイ設置台２１を格納部１０から引き出すこと、ディスプレイ設置台２１を到伏姿勢から起立姿勢に変えること、および、ディスプレイ設置台２１を格納部１０に押し込むことに用いられる。
【００２１】
図２が示すように、ディスプレイホルダーは、並進台２０Ｔを備える。並進台２０Ｔは、格納部１０の開口１１を通過できる大きさを有する。並進台２０Ｔは、格納部１０から車室内に向けた引き出しと、車室内から格納部１０に向けた押し込みとを可能にする。並進台２０Ｔは、車室側の端部に回転軸２０Ａを備える。ディスプレイ設置台２１は、並進台２０Ｔの回転軸２０Ａに連結されて、並進台２０Ｔに沿って倒れた姿勢（倒伏姿勢）と、起立した姿勢（起立姿勢）との間で回転する。ディスプレイ設置台２１は、並進台２０Ｔと共に、倒伏姿勢で格納部１０に格納される。ディスプレイ設置台２１は、倒伏姿勢で格納部１０から引き出され、また、倒伏姿勢で格納部１０に押し込まれる。ディスプレイ設置台２１は、並進台２０Ｔと共に格納部１０から倒伏姿勢で引き出されて回転し、起立姿勢に変位する。
【００２２】
図３が示すように、ディスプレイ設置台２１は、下側挟持部２１Ｂ、および、上側挟持部２１Ｕを備える。下側挟持部２１Ｂは、回転軸２０Ａによって並進台２０Ｔに連結されている。上側挟持部２１Ｕは、下側挟持部２１Ｂに対して上下に変位可能に構成されている。起立姿勢のディスプレイ設置台２１は、下側挟持部２１Ｂ、および、上側挟持部２１Ｕによって、ディスプレイ３０を上下で挟む。なお、ディスプレイホルダーは、ディスプレイ３０の保持に際して、ディスプレイ設置台２１を起立姿勢に保ちながら（図２が示す状態から）、並進台２０Ｔを格納部１０に向けて押し込まれる。次いで、ディスプレイ設置台２１は、上側挟持部２１Ｕを一度上方に引き上げられて、下側挟持部２１Ｂと上側挟持部２１Ｕとの間にディスプレイ３０が置かれる。続いて、上側挟持部２１Ｕがディスプレイ３０の上縁と当接するように、上側挟持部２１Ｕを下げられる。
【００２３】
次に、図４、および、図５を参照して、ディスプレイ設置台２１の構成を説明する。
なお、図４は、起立姿勢のディスプレイ設置台２１を正面側から見た分解斜視構造を示す。図５は、起立姿勢のディスプレイ設置台２１を背面側から見た分解斜視構造を示す。ここでは、起立姿勢を基準としてディスプレイ設置台２１の構成を説明する。
【００２４】
ディスプレイ設置台２１は、第１支持部２２、第１直動部２３、アーム部２４、第２直動部２７、および、第２支持部２９を備える。第１支持部２２、および、第２支持部２９は、相互に対向する板状を有して、一体のホルダー部を構成する。第１直動部２３、および、第２直動部２７は、相互に対向する板状を有して、一体のレール部を構成する。一体のレール部は、第１支持部２２と第２支持部２９とに挟まれている。アーム部２４は、第１直動部２３と第２直動部２７とに挟まれた板状を有している。第１支持部２２、第１直動部２３、アーム部２４、第２直動部２７、および、第２支持部２９は、背面側からこの順に積層されている。
【００２５】
第１支持部２２は、上述したハンドル２１Ｈ、および、回転軸２１Ａを下方に備えた板状を有する。第１支持部２２は、左右方向の中央に、上下方向に延びる第１収納部２２Ｓを備える。第１収納部２２Ｓは、上下方向に延びる左右で一対の第１案内リブ２２Ｂで区画されている。第１収納部２２Ｓは、上下方向に移動可能に、レール部を収納する。
【００２６】
第１収納部２２Ｓは、背面側に窪み、かつ、上下方向に延びる凹部を備え、凹部の側壁に、第１ラック部２２Ｒを備える。第１収納部２２Ｓにおける凹部の側壁は、上下方向に延び、かつ、第１収納部２２Ｓの背面側に突き出る突条である。第１ラック部２２Ｒは、第１収納部２２Ｓの側壁に沿って、上下方向に延び、第１収納部２２Ｓにおける左右方向の中央側（内側）に歯先を向けている。
【００２７】
第１支持部２２は、第１収納部２２Ｓを左右で挟む一対の第２案内リブ２２Ｃを備える。第２案内リブ２２Ｃは、第２支持部２９に向けて突出し、第１支持部２２における上下方向の全体にわたって位置する。第１案内リブ２２Ｂと第２案内リブ２２Ｃとの間には、上下方向に延びる間隙が形成されている。第１案内リブ２２Ｂと第２案内リブ２２Ｃとは、レール規制部の一例である。レール規制部は、レール部の移動を上下方向に沿った直動に規制する。
【００２８】
第１直動部２３は、第１収納部２２Ｓに収納可能な矩形板状を有する。第１直動部２３は、締結孔２３Ｈ、ギア連結孔２３Ａ、ギア支持孔２３Ｂ、および、第３ラック部２３Ｃを備える。
【００２９】
締結孔２３Ｈは、第１直動部２３の四隅に位置し、第１直動部２３を厚み方向に貫通する。第１直動部２３は、締結孔２３Ｈを介して、第２直動部２７に締結されている。ギア連結孔２３Ａは、第１ラック部２２Ｒと対向する部位に位置し、第１直動部２３を厚み方向に貫通する。第１ギアＧ１と第２ギアＧ２とは、ギア連結孔２３Ａを介して、同軸上に連結されている。第１ギアＧ１は、第１直動部２３に対する第１支持部２２側に位置し、かつ、第１支持部２２が備える凹部のなかで第１ラック部２２Ｒと噛み合う。第２ギアＧ２は、第１直動部２３に対するアーム部２４側に位置する。ギア支持孔２３Ｂは、第１直動部２３においてアーム部２４と対向する対向面に位置する。第３ギアＧ３は、第１直動部２３に対するアーム部２４側に位置し、ギア支持孔２３Ｂに回動可能に取り付けられ、第２ギアＧ２と噛み合う。第３ラック部２３Ｃは、第１直動部２３の対向面において、左右方向のほぼ中央に位置し、上下方向に延在している。
【００３０】
アーム部２４は、アーム板２４Ａ、および、上側挟持部２１Ｕを備える。アーム板２４Ａは、第１直動部２３よりも左右方向に狭い幅を有した板状を有する。上側挟持部２１Ｕは、アーム板２４Ａの上端と一体に形成されている。アーム部２４は、ノブ案内リブ２４Ｂ（図５を参照）、ロック取付孔２４Ｃ、ノブ挿通孔２４Ｈ、および、第２ラック部２４Ｒ（図５を参照）を備える。
【００３１】
ノブ案内リブ２４Ｂは、アーム板２４Ａの背面に位置している。ノブ案内リブ２４Ｂは、アーム板２４Ａの背面から第１直動部２３に向けて突出し、上下方向に延在している。ロック取付孔２４Ｃは、アーム板２４Ａの下端部に位置し、アーム板２４Ａを厚み方向に貫通している。ロック２５は、左右方向に延在する回転軸２５Ａと、回転軸２５Ａから上方に延在したロック爪２５Ｐとを備える。ロック２５は、回転軸２５Ａを中心として、ロック取付孔２４Ｃに回動可能に取り付けられている。ロック２５は、コイルばねなどの付勢部材によって、第３ラック部２３Ｃに向けて常時付勢されている。
【００３２】
ノブ挿通孔２４Ｈは、上側挟持部２１Ｕを上下方向に貫通している。ノブ挿通孔２４Ｈは、上側挟持部２１Ｕの上方と、アーム板２４Ａの背面側とを連通している。ロックノブ２６は、上下方向に延在する板状を有し、ノブ挿通孔２４Ｈに挿通されている。ロックノブ２６は、解除爪２６Ｐを下端に備え、一対のノブ案内リブ２４Ｂによって、上下方向に案内される。ロックノブ２６は、ノブ挿通孔２４Ｈに向けた押し込みによって、ロック爪２５Ｐと解除爪２６Ｐとを当接させて、ロック爪２５Ｐに作用する付勢力に抗して、ロック爪２５Ｐを第３ラック部２３Ｃから離間させる。
【００３３】
図５が示すように、アーム板２４Ａは、背面における左右方向の両端部に、上下方向に延びる側壁を備える。アーム板２４Ａの側壁は、アーム板２４Ａの背面から第１直動部２３側に突き出る突条である。第２ラック部２４Ｒは、アーム部２４が備える側壁のなかで第３ギアＧ３と対向する側壁に位置する。第２ラック部２４Ｒは、アーム板２４Ａの側壁に沿って、上下方向に延び、アーム板２４Ａにおける左右方向の中央側（内側）に歯先を向けている。第３ギアＧ３は、第２ギアＧ２、および、第２ラック部２４Ｒと噛み合う。
【００３４】
そして、アーム部２４が第１支持部２２に対して引き上げられるとき、アーム部２４の上昇は、第３ギアＧ３と第２ギアＧ２との噛み合いを通じて、第１ギアＧ１の正転に変換される。第１ギアＧ１の正転は、第１ギアＧ１と第１ラック部２２Ｒとの噛み合いを通じて、第１直動部２３を第１支持部２２に対して上昇させる。反対に、アーム部２４が第１支持部２２に対して押し下げられるとき、アーム部２４の下降は、第３ギアＧ３と第２ギアＧ２との噛み合いを通じて、第１ギアＧ１の逆転に変換される。第１ギアＧ１の逆転は、第１ギアＧ１と第１ラック部２２Ｒとの噛み合いを通じて、第１直動部２３を第１支持部２２に対して下降させる。すなわち、各ギアＧ１，Ｇ２，Ｇ３と、各ラック部２２Ｒ，２４Ｒとは、連動機構を構成し、ホルダー部に対するレール部の一方向への移動と、レール部に対するアーム部の同方向への移動とを連動させる。
【００３５】
第２直動部２７は、左右で一対の案内壁２７Ａに区画された第２収納部２７Ｂを備える。案内壁２７Ａは、上下方向に延在する突部であり、第２収納部２７Ｂは、上下方向に移動可能に、アーム板２４Ａを収納する。一対の案内壁２７Ａは、アーム規制部の一例である。アーム規制部は、アーム部２４の移動を上下方向に沿った直動に規制する。第２直動部２７は、一対の案内壁２７Ａを挟むように、左右で一対の案内レール２８を備える。各案内レール２８は、上述した第１案内リブ２２Ｂ（図４を参照）と第２案内リブ２２Ｃ（図４を参照）との間隙に挿入される。
【００３６】
図４に戻り、第２支持部２９は、正面壁２９Ａ、および、下側挟持部２１Ｂを備える。正面壁２９Ａは、第１支持部２２のほぼ全体を覆う板状を有し、第１支持部２２に固定される。正面壁２９Ａは、ディスプレイ設置台２１の正面である支え面２９Ｓを備える。支え面２９Ｓは、ディスプレイの背面を支える。下側挟持部２１Ｂは、正面壁２９Ａの下端と一体に形成されている。
【００３７】
図６が示すように、ロック２５は、第３ラック部２３Ｃに向けて常時付勢されている。ここで、ロックノブ２６が下方に向けて押し込まれると、ロック２５に作用する付勢力に抗して、ロック２５と第３ラック部２３Ｃとの噛み合いが解除される。そして、ロックノブ２６が下方に向けて押し込まれながら、上側挟持部２１Ｕが上方に引き上げられて、下側挟持部２１Ｂと上側挟持部２１Ｕとの間に、ディスプレイ３０が置かれる。続いて、ロックノブ２６に対する押し込みが解除されて、上側挟持部２１Ｕがディスプレイ３０の上縁と当接するように、上側挟持部２１Ｕが下げられる。この際、ロック２５と第３ラック部２３Ｃとの噛み合いが一段ずつ繰り返されて、上側挟持部２１Ｕの位置が第１直動部２３（レール部）に対してロックされる。これによって、上側挟持部２１Ｕとディスプレイ３０の上縁とが当接した位置で、上側挟持部２１Ｕの位置決めが行われる。
【００３８】
ディスプレイ設置台２１は、支え部２０Ｋを備える。支え部２０Ｋは、第１支持部２２の背面に、回転可能に接続されている。ディスプレイ設置台２１が倒伏姿勢であるとき、支え部２０Ｋは、第１支持部２２の背面に沿う姿勢を有する。ディスプレイ設置台２１が起立姿勢であるとき、支え部２０Ｋは、支え部２０Ｋの下端を並進台２０Ｔの上面に接触させて、第１支持部２２の背面に対して傾いた姿勢を有する。なお、起立姿勢のディスプレイ設置台２１が開口１１に向けて押し込まれるとき、格納部１０と支え部２０Ｋとが当接して、支え部２０Ｋの回転が規制される。そして、起立姿勢のディスプレイ設置台２１が格納部１０に向けて押し込まれた状態で、起立姿勢のディスプレイ設置台２１を支え部２０Ｋが支え続ける。
【００３９】
図７が示すように、各ギアＧ１，Ｇ２，Ｇ３と、各ラック部２２Ｒ，２４Ｒとは、各支持部２２，２９に対する各直動部２３，２７の上下方向への移動と、各直動部２３，２７に対するアーム部２４の同方向への移動とを連動させる。
【００４０】
ここで、ディスプレイホルダーに衝撃が伝わるとき、こうした衝撃は、各直動部２３，２７（レール部）に対する第１支持部２２側（背面側）や、各直動部２３，２７（レール部）に対する第２支持部２９側（正面側）に、レール部を撓ませるように作用する。また、アーム部２４に対する第１直動部２３側（背面側）や、アーム部２４に対する第２直動部２７側（正面側）に、アーム部２４を撓ませるようにも作用する。この点、第１ラック部２２Ｒ、および、第２ラック部２４Ｒは、上下方向に延びる側壁、すなわち、上述した撓みに対する耐性を有した部分である。特に、突条である各側壁は、第１支持部２２やアーム部２４での撓みを抑える部分である。そのため、各ギアＧ１，Ｇ２，Ｇ３に対して、第１ラック部２２Ｒ、および、第２ラック部２４Ｒの位置ずれを抑えることが可能となる。
【００４１】
以上、上記実施形態によれば、以下に列挙する効果を得られる。
（１）第１ラック部２２Ｒと第１ギアＧ１との噛み合い、および、第２ラック部２４Ｒと第３ギアＧ３との噛み合いが解かれることを抑えて、ディスプレイホルダーにおける耐衝撃性を向上させることが可能となる。
【００４２】
（２）第１支持部２２の厚み方向に突き出る突条は、上述した撓みを抑える構造であり、アーム部２４の厚み方向に突き出る突条もまた、上述した撓みを抑える構造である。第１ラック部２２Ｒ、および、第２ラック部２４Ｒの位置する各側壁は、こうした突条であるため、上記（１）に準じた効果を、さらに高めることが可能ともなる。
【００４３】
（３）第１支持部２２での上述した撓みは、第１支持部２２をそれの延在方向に引き伸ばして、第１ラック部２２Ｒを左右方向の中央側に変位させるように、少なからず変形を促す。この点、第１ラック部２２Ｒの歯先が、左右方向の中央側に向くため、第１支持部２２で撓みが仮に生じたとしても、それによる変形は、第１ラック部２２Ｒと第１ギアＧ１との噛み合いを保つように作用しやすい。
【００４４】
（４）アーム部２４での上述した撓みは、アーム部２４をそれの延在方向に引き伸ばして、第２ラック部２４Ｒを左右方向の中央側に変位させるように、少なからず変形を促す。この点、第２ラック部２４Ｒの歯先が、左右方向の中央側に向くため、アーム部２４で撓みが仮に生じたとしても、それによる変形は、第２ラック部２４Ｒと第３ギアＧ３との噛み合いを保つように作用する。
【００４５】
（５）各直動部２３，２７に対するアーム部２４の移動は、一対の案内壁２７Ａによって、上下方向に沿った直動に規制される。また、各支持部２２，２９に対する各直動部２３，２７の移動は、第１案内リブ２２Ｂと第２案内リブ２２Ｃとによって、上下方向に沿った直動に規制される。そのため、各支持部２２，２９とアーム部２４とによるディスプレイ３０の挟持を、円滑に進めることが可能ともなる。
【００４６】
（６）アーム部２４の移動する方向と、この移動を可能にするロックノブ２６の操作方向とが、上下方向に沿っているため、アーム部２４の移動や、この移動に連動する各直動部２３，２７の移動を、利用者による直感的な操作によって実現可能となる。
【００４７】
なお、上記実施形態は、以下のように変更して実施することが可能である。
・第１ラック部２２Ｒの歯先が向く方向は、左右方向の中央側に限らず、左右方向の外側であってもよい。第２ラック部２４Ｒの歯先が向く方向もまた、左右方向の中央側に限らず、左右方向の外側であってもよい。
・ディスプレイ設置台２１の回転方向は、倒伏姿勢から起立姿勢に変位する際に、図２に示す矢印方向とは反対方向（紙面手前下方）とすることも可能である。
【００４８】
・起立姿勢のディスプレイ設置台２１を支える構成は、上述した支え部２０Ｋに限らず、例えば、並進台２０Ｔの押し込みによる、ディスプレイ設置台２１の背面と、格納部１０の正面との当接であってもよい。この際、格納部１０における意匠性を保つ観点から、ディスプレイ設置台２１の背面に、緩衝材などによる緩衝機能を付与ことも可能である。
【符号の説明】
【００４９】
Ｇ１…第１ギア、Ｇ２…第２ギア、Ｇ３…第３ギア、１０…格納部、２０…ディスプレイホルダー、２１…ディスプレイ設置台、２２…第１支持部、２２Ｒ…第１ラック部、２３…第１直動部、２４…アーム部、２４Ｒ…第２ラック部、２５…ロック、２７…第２直動部、２９…第２支持部、３０…ディスプレイ。
【図１】
2019131115.tif 000003
【図２】
2019131115.tif 000004
【図３】
2019131115.tif 000005
【図４】
2019131115.tif 000006
【図５】
2019131115.tif 000007
【図６】
2019131115.tif 000008
【図７】
2019131115.tif 000009